(57)【要約】      （修正有）【課題】簡単な構造を有し、生産性及び意匠性に優れ、物品に確実に取り付けることができ、当該物品の使用時にも外れにくいタグを提供する。【解決手段】上記のタグは、中空部を有する樹脂成形体である樹脂チューブ２と、中空部に通された紐状弾性体であるゴム４と、を含み、樹脂チューブ２の外表面に印字部６を有する。タグ取付対象物品である靴１０には、靴紐１２の通し穴１２ａ及び１２ｂが対になって設けられており、ここに上記のゴム４が通されて結ばれることにより、タグ１を靴１０に取り付ける。タグの印字部６には、所有者の情報などを印刷して活用する。【選択図】図１
0003154861.tif 000002
【実用新案登録請求の範囲】
【請求項１】
中空部を有する樹脂成形体と、
前記中空部に通された紐状弾性体と、を含み、
前記樹脂成形体の外表面に印字部を有することを特徴とするタグ。
【請求項２】
前記樹脂成形体が、樹脂チューブであること、
を特徴とする請求項１に記載のタグ。
【請求項３】
前記樹脂成形体が、キャラクター又は物品の形状を有すること、
を特徴とする請求項１に記載のタグ。
【請求項４】
前記紐状弾性体が、ゴムであること、
を特徴とする請求項１〜３のうちのいずれかに記載のタグ。
【請求項５】
前記樹脂成形体が、ＩＣチップを搭載すること、
を特徴とする請求項１〜４のうちのいずれかに記載のタグ。
【請求項６】
前記印字部に、識別情報が印字されていること、
を特徴とする請求項１〜５のうちのいずれかに記載のタグ。
【考案の詳細な説明】
【技術分野】
【０００１】
本考案は、種々の物品に装着され得るタグに関する。
【背景技術】
【０００２】
従来から、種々の物品には、所有者の氏名や住所、当該物品の内容説明を表示するためのタグを取り付けることが行われている。
【０００３】
例えば、特許文献１においては、靴等の適宜箇所に取り付けて名前等を表示するクリップであって、使用者の見やすい方向に表示板を配位できると共に、その上下角度を自由に調整でき、コンパクトにして携帯できるものの提供を意図して、クリップ本体と表示板とから構成され、クリップ本体は、中間部で回動可能に接続された左右一対の挟持体を有し、弾性体の付勢力により常時その先端が閉じ、後端を摘むことにより先端が閉じる表示用クリップが提案されている。
【０００４】
また、特許文献２においては、傘等の目的物に装着することにより、持ち主を特定出来る目印兼用名札を提供することを意図して、弾性体製バンドの外面に模様や飾りを施し、内面に住所、氏名、電話番号等を記入出来るようにする構成を有する目印兼用名札が提案されている。
【０００５】
さらに、特許文献３においては、輪ゴムを掛けるだけで様様な品物に取り付けることが可能になり、多目的タグとして使用できるようにし、またタグおよび輪ゴムを容易に取り変え、さらに本来、輪ゴムのみで止めていた品物にタグを容易、迅速かつ確実に取り付けることにより洒落た体裁にするようにすることを意図して、板紙に記入部を形成し、板紙に輪ゴムを着脱自在に取り付ける構成を有する多目的タグが提案されている。
【先行技術文献】
【特許文献】
【０００６】
【特許文献１】実開平５−３４９０８号公報
【特許文献２】実開平７−１９７６５号公報
【特許文献３】実用新案登録第３１０４８３３号公報
【考案の概要】
【考案が解決しようとする課題】
【０００７】
しかしながら、上記特許文献１において提案されている表示用クリップは、意匠性に劣り、また、靴等の適宜箇所に取り付けることが想定されているものの、当該表示用クリップを取り付けた靴を使用する際には取り外さなければならない。
【０００８】
また、上記特許文献２において提案されている目印兼用名札においては、これを構成する弾性体製バンドの具体的な形状が円筒状であり、持ち主が円筒状の弾性体製バンドの内面に住所、氏名、電話番号等を記入するには手間がかかり、生産性に欠ける。また、記入した住所等は外から読みにくく、意匠性の観点から改善の余地ある。
【０００９】
更に、上記特許文献３において提案されている多目的タグは、物品に確実に取り付けることができるものの、当該物品の使用時には比較的外れ易く、また、意匠性の観点からも改善の余地がある。
【００１０】
そこで、本考案の目的は、簡単な構造を有し、生産性及び意匠性に優れ、物品に確実に取り付けることができ、当該物品の使用時にも外れにくいタグを提供することにある。
【課題を解決するための手段】
【００１１】
上記の課題を解決すべく、本考案は、
中空部を有する樹脂成形体と、
前記中空部に通された紐状弾性体と、を含み、
前記樹脂成形体の外表面に印字部を有することを特徴とするタグ、
を提供する。
【００１２】
このような構成を有する本考案のタグは、樹脂成形体と紐状弾性体との組合せという簡単な構造を有し、樹脂成形体のほか表面へ印字部を設ければよいことから生産性に優れ、また、樹脂成形体と紐状弾性体との組合せによって可愛らしさを演出することができることから意匠性に優れ、更に、紐状弾性体によって物品に確実に取り付けることができ、当該物品が例えば靴や傘であってもそれらの使用時に外れにくい。また、樹脂成形体と紐状弾性体との組合せであることから、使用時の安全性にも長けている。
【００１３】
本考案のタグにおける「印字部」は、文字、絵又は模様等が印字された部分を意味し、例えばマニキュアの塗布やシールの貼付等、又は各種印刷方法によってデコレーションが施されて実質的に印字された部分であってもよい。樹脂成形体の印字部に名前や所属先（学校のクラス名や野球チームのチーム名等）を表示することができ、可愛らしさを演出したり所属先のメンバーであることを表示したりできることから、意匠性に優れるタグを提供することができる。
【００１４】
本考案のタグにおいては、前記樹脂成形体が、樹脂チューブであること、が好ましい。
【００１５】
このような構成によれば、樹脂チューブは安価でかつ長尺状でロール状にまとめたものを使用可能であるため、タグの生産性を向上させることができる。また、樹脂チューブは簡単な構造で可愛らしさを演出することができ意匠性に優れる。
【００１６】
また、本考案のタグにおいては、前記樹脂成形体が、キャラクター又は物品の形状を有していてもよい。
【００１７】
このような構成によれば、本考案のタグの形状を、ユーザーが好きなキャラクターや使用している物品の形状とすることができ、ユーザーの興味をより確実に惹くことができる。
【００１８】
また、本考案のタグにおいては、前記紐状弾性体は少しでも伸縮性を有していればよく、例えばゴム又は毛糸若しくは綿糸等の糸等が考えられるが、ゴムであるのが好ましい。この紐状弾性体は環状であってもよい（この場合、結び目があってもなくてもよい。）。
【００１９】
このような構成によれば、当該ゴムの部分で、本考案のタグを物品により確実に取り付けることができ、本考案のタグを安価に製造することができる。
【００２０】
また、本考案のタグにおいては、前記樹脂成形体が、ＩＣチップを搭載していてもよい。この「搭載」とは、ＩＣチップが樹脂成形体の内部に含まれる場合もＩＣチップが樹脂成形体の表面に接着等される場合も含む概念である。
【００２１】
このような構成によれば、本考案のタグのユーザーに関する情報（氏名、住所、年齢、生年月日、所属先等）や本考案のタグを取り付ける物品に関する情報（製造番号、製造年月日、所有者に関する情報、原材料等）等の識別情報をＩＣチップに格納することができ、ユーザーに対する安全性を向上させることができる。例えば、子供や老人の靴等にＩＣチップを含む本考案のタグを取り付けておけば、警察や警備のスタッフ等が当該ＩＣチップに格納された情報を読み取って、迷子や徘徊を防止することが可能である。
【００２２】
また、本考案のタグにおいては、前記印字部に、識別情報が印字されていてもよい。例えば、上記のような識別情報の少なくとも一部がバーコードやＱＲコード等のコードとして印字されていてもよい。例えば、ＱＲコードの場合、当該ＱＲコードを読み取った携帯端末等の表示部に、特定のＵＲＬのサイトを表示させ、このサイトに上記のような各情報を表示させても構わない。もちろん、より容易に各情報を読み取れるように、連絡先電話番号等をＱＲコード化して、携帯電話で読み取り、その携帯電話から連絡先電話番号等に連絡するといった方法を採用しても構わない。
【００２３】
このような構成によれば、ＩＣチップを用いない簡単な構成で、かつ、印字操作のみで、本考案のタグに識別情報を設けることができる。
【考案の効果】
【００２４】
本考案によれば、簡単な構造を有し、生産性及び意匠性に優れ、物品に確実に取り付けることができ、当該物品の使用時にも外れにくいタグを提供することができる。
【図面の簡単な説明】
【００２５】
【図１】本考案のタグの代表的な一実施の形態の概略斜視図である。
【図２】図１に示す本考案のタグを靴に取り付けた様子を示す概略斜視図である。
【考案を実施するための最良の形態】
【００２６】
以下、本考案のタグの代表的な一実施の形態を図面を参照しながら説明する。なお、重複する説明は省略している場合もあり、図面における各部材の形状や寸法等は、便宜上、本考案の作用効果を奏するタグの実際の形状や寸法等を必ずしも高精度では表わしていない場合もある。
【００２７】
図１は、本考案のタグの代表的な一実施の形態の構成を示す概略斜視図であり、本実施の形態のタグ１は、図１に示すように、中空部２ａを有する樹脂成形体である樹脂チューブ２と、中空部２ａに通された紐状弾性体であるゴム４と、を含み、樹脂チューブ２の外表面に印字部６を有する。
【００２８】
ここで、樹脂チューブ２は、単層構造であっても積層構造であってもよく、熱収縮性樹脂等の種々の樹脂で作製することができる。例えばポリエチレンテレフタレート等のポリエステル系、ポリプロピレン等のオレフィン系樹脂、エチレン酢酸ビニル共重合体、ポリスチレン、スチレン−ブタジエン共重合体等のスチレン系樹脂、環状オレフィン系樹脂、塩化ビニル系樹脂等の公知の熱可塑性樹脂が挙げられ、これらのうちの１種又は２種以上の混合物を用いることができる。
【００２９】
その他にも、例えばポリアミドイミド（ＰＡＩ）、ポリイミド（ＰＩ）、ポリエーテルイミド（ＰＥＩ）、ポリテトラフルオロエチレン（ＰＴＦＥ）、テトラフルオロエチレンとパーフルオロアルキルビニルエーテルの共重合体（ＰＦＡ）、テトラフルオロエチレンとヘキサフルオロプロピレンの共重合体（ＦＥＰ）、エチレンとテトラフルオロエチレンの共重合体（ＥＴＦＥ）、クロロトリフルオロエチレンとエチエンの共重合体（ＥＣＴＦＥ）、ポリクロロトリフルオロエチレン（ＰＣＴＦＥ）、ポリフェニレンスルフィド（ＰＰＳ）、ポリエーテルスルホン（ＰＥＳ）、ポリエーテルエーテルケトン（ＰＥＥＫ）等が挙げられる。
【００３０】
樹脂チューブ２を構成する材料は、樹脂チューブ２の印字部６への印字方法によって、適宜選択することが好ましい。サーマルヘッド方式のプリンタを用いて樹脂チューブ２の表面の一部に印字部６を設ける場合には、樹脂チューブ２の収縮固着温度とインクの溶融温度との関係や収縮率を考慮して、適宜選択すればよい。
【００３１】
本実施の形態のタグ１においては、樹脂チューブ２が印字部６を有し、印字部６は「ＲＥＩ」という女の子の名前を示す文字で構成されている。この文字は、種々の方法で印字することができ、例えば、サーマルヘッド方式、インクジェット方式及びレーザー方式等が挙げられる。
【００３２】
本実施の形態のタグ１においては、樹脂チューブ２の中空部２ａに通された紐状弾性体であるゴム４は紐状であり、結び目が樹脂チューブ２の中空部２ａ内に位置している（したがって、図１では図示していない。）。
【００３３】
かかるゴム４としては、単層構造であっても積層構造であってもよく、ゴムのみから構成されるものやゴムの表面に繊維や不織布が被覆して構成されているもの等であってもよい。また、家庭用や工業用の単層構造の輪ゴムや例えば女性が髪の毛を束ねるために用いる積層構造のヘアゴム等であってもよい。
【００３４】
ゴム４を構成するゴム材料としては、例えば、天然ゴム、クロロプレンゴム、ニトリルゴム、シリコーンゴム、フッ素ゴム、エチレンプロピレンゴム、ブチルゴム、ウレタンゴム、アクリルゴム等が挙げられる。
【００３５】
次に、図２は、図１に示す本実施の形態のタグ１を取り付けた靴（スポーツシューズ）１０の様子を示す概略斜視図である。図２に示すように、本実施の形態の靴１０には、靴紐１２の通し穴１２ａ及び１２ｂが対になって設けられており、ここにゴム４が通されて結ばれることにより、本考案のタグ１が靴１０に取り付けられている（但し、結び目は樹脂チューブ２内に位置して隠れている。）。
【００３６】
このように、本考案のタグ１は、ゴム４によって靴１０に確実に取り付けられており、靴１０を履いたユーザーが歩いたり走ったりしても外れない。また、靴１０を履いたユーザーが歩いたり走ったりして甲の幅方向に靴１０が伸び縮みしたとしても、ゴム４もそれに追随して伸び縮みし、また、樹脂チューブ２はゴム４の周囲を樹脂チューブ２の長さ方向において左右に摺動可能であるため、靴１０の正面からずれにくい。また、樹脂チューブ２は周方向に回転しにくく印字部６も正面からずれにくい。なお、樹脂チューブ２の周全体に印字部が設けられていれば、周方向に回転してずれても問題はない。
【００３７】
以上、本考案のタグの代表的な一実施の形態について説明してきたが、本考案は上記実施の形態の構成のみに限定されるものではなく、実用新案登録請求の範囲に記載の本考案の技術的思想の範囲内で他の種々の設計変更が可能であり、それら設計変更を加えたタグも本考案の技術的範囲に含まれる。
【００３８】
例えば、上記実施の形態においては、樹脂成形体が樹脂チューブである場合について説明したが、キャラクター又は物品の形状を有していてもよい。また、樹脂成形体は、ＩＣチップを搭載してもよい。
【００３９】
また、上記実施の形態においては、印字部には文字が設けられている場合について説明したが、例えばバーコードやＱＲコード等のコードで識別情報が印字されていたりしてもよく、キャラクターやデザインが印字されていてもよい。また、印字部はモノクロであってもカラーであってもよい。
【００４０】
また、上記実施の形態においては、本考案のタグを靴に取り付ける場合について説明したが、取り付ける対象物（物品）としては、これに限られるものではなく、例えば傘やカバン等に取り付けてもよい。
【００４１】
また、上記実施の形態の印字部においては、表面にコーティングを施して耐久性を向上させることもできる。このコーティングには、使用される従来公知の種々のコーティング剤を用いることができ、例えばマニキュア等のクリアなコーティング剤を用いることができる。
【００４２】
また、上記実施の形態においては、ゴムを靴の通し穴に直接通した場合について説明したが、例えばＳ字フックをゴムと通し穴とにかけて、タグを靴に取り付けてもよい。この場合、Ｓ字フックは金属製、樹脂製又はゴム製のいずれであってもよいが、安全性の観点からは樹脂製又はゴム製であるのが好ましい。
【００４３】
さらに、上記実施の形態においては、樹脂チューブに印字部のみを設けた場合について説明したが、例えば樹脂チューブに花やキャラクター、物品等を象った小物（成形物であってよい。）を取り付けたりすることも可能である。この場合も、当該小物は金属製、樹脂製又はゴム製のいずれであってもよいが、安全性の観点からは樹脂製又はゴム製であるのが好ましい。また、ビーズ等を用いて樹脂チューブや紐状弾性体等を装飾しても構わない。
【００４４】
また、上記実施の形態においては、靴紐の通し穴に本考案のタグを取り付けた場合について説明したが、通し穴に代えて、靴を履く際や靴を履かせる際にかかと部分を上方に引き上げるために、かかと部分の上端部付近に設けられた環状タブに、本考案のタグを取り付けても構わない。
【産業上の利用可能性】
【００４５】
本考案のタグは、簡単な構造を有し、生産性及び意匠性に優れ、物品に確実に取り付けることができ、当該物品の使用時にも外れにくい。そのため、本考案のタグは種々の目的で物品に取り付けることが可能である。例えば、個人的に自分の物品を装飾するために取り付けてもよく、例えば、学校のクラス又は野球チーム若しくはサッカーチーム等のチームにおいて、メンバーであることを示す名称やマーク等を表示するために用いてもよい。また、本考案のタグは、迷子防止システムや徘徊防止システムに使用することも可能である。
【符号の説明】
【００４６】
１・・・タグ、
２・・・樹脂チューブ、
２ａ・・・中空部、
４・・・ゴム、
６・・・印字部、
１０・・・靴、
１２・・・靴紐、
１２ａ、１２ｂ・・・通し穴。
【図１】
0003154861.tif 000003
【図２】
0003154861.tif 000004